Podtech/llm-jp-corpus-v4-ja_patent huggingface dataset:
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設され、該遊技領域を特定入球口が設けられる第１の遊技領域とその他の第２の遊技領域とに区画形成する入賞装置と、前記第２の遊技領域に打ち込まれた遊技球の前記第１の遊技領域内への進入の確率が高くなるように動作可能な可動片と、前記第２の遊技領域に配設される始動口と、を備え、前記第２の遊技領域に打ち込まれた遊技球が前記可動片による動作を通じて前記第１の遊技領域内に進入し、該進入した遊技球が前記特定入球口に受け入れられたとき、遊技者にとって有利な特別遊技を行う遊技機であって、
前記始動口に遊技球が受け入れられたことを検出する始動口検出手段と、
前記始動口検出手段による検出に基づいて前記可動片を駆動制御する可動片制御手段と、
前記第１の遊技領域内に遊技球が進入したことを検出する第１の遊技領域検出手段と、
前記第１の遊技領域内にて前記特定入球口へと向かう遊技球に作用可能に設けられる作用部材と、
前記可動片制御手段による前記可動片の駆動制御に伴って予め設定された駆動態様で前記作用部材を駆動制御する作用部材制御手段と、
前記第１の遊技領域内に進入した遊技球が前記特定入球口に受け入れられたか否かを検出する特定入球口検出手段と、
前記可動片制御手段により前記可動片の駆動制御が開始されてから所定時間が経過するまで前記特定入球口検出手段による検出を有効に扱う有効期間を設定する有効期間設定手段と、を備え、
前記可動片制御手段は、少なくとも前記作用部材制御手段により前記作用部材を駆動制御するタイミングで新たに前記可動片の駆動制御を開始することがなく、
前記有効期間設定手段は、前記第１の遊技領域検出手段による検出がなされたときに第１の有効期間を前記有効期間として設定する一方、前記第１の遊技領域検出手段による検出がなされないときに前記第１の有効期間よりも短い第２の有効期間を前記有効期間として設定するものであり、
前記作用部材制御手段は、前記第１の有効期間内に前記予め設定された駆動態様による前記作用部材の駆動制御が終了されるかたちの動作スケジュールに基づいて前記作用部材を駆動制御するものであり、前記第１の遊技領域検出手段による検出がなされないときに前記第２の有効期間の経過に伴って前記動作スケジュールを強制的に終了させる駆動終了制御を実行することを特徴とする遊技機。
【請求項２】
前記有効期間設定手段は、前記可動片制御手段により前記可動片の駆動制御が終了された後、前記第１の遊技領域検出手段により検出され得る最大の時間が経過するまでを前記第２の有効期間として設定することを特徴とする請求項１記載の遊技機。
【請求項３】
前記作用部材制御手段は、前記第１の有効期間内に前記特定入球口検出手段による検出数が前記第１の遊技領域検出手段による検出数と一致したとき、当該第１の有効期間を終了させるとともに前記動作スケジュールを強制的に終了させる駆動終了制御を実行することを特徴とする請求項１または請求項２に記載の遊技機。
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
ガントリー構造を持たず、一方向から陽子線、重イオン線などの粒子線を患者の患部に照射する粒子線照射装置と、該粒子線照射装置の粒子線照射部と同室に設置され、上記患者の患部を位置確認するＣＴスキャナーと、該ＣＴスキャナーの検出範囲と上記粒子線照射装置の照射範囲との間で上記患者を移動させる駆動部と、上記患者を固定し、上記駆動部に上記患者の頭尾方向を軸とした回転運動可能に装着される患者固定装置と、該患者固定装置を装着した上記駆動部と上記ＣＴスキャナーとを収納する構造を有し、上記粒子線照射装置の照射方向と上記駆動部の移動方向を含む平面に対して直交する軸で回転可能な収納ユニットとを備えたことを特徴とする粒子線照射システム。
【請求項２】
上記粒子線照射装置が、上記粒子線を斜め上方向から上記患部に照射するように構成された請求項１に記載の粒子線照射システム。
【請求項３】
上記粒子線の上記患部に照射する照射角度が、水平面に対して４５°±３０°の範囲である請求項２に記載の粒子線照射システム。
【請求項４】
上記粒子線照射装置の上記粒子線の照射方向と、上記収納ユニットの回転の軸方向と、上記患者固定装置の回転の軸方向とが、照射時の上記患者の上記患部において交差するように構成した請求項１、２又は３に記載の粒子線照射システム。
【請求項５】
上記患者固定装置が、上記駆動部に対して上記患者の左右方向と腹背方向への位置調整可能な位置調整機能を備えた請求項１乃至４のいずれか１項に記載の粒子線照射システム。
【請求項６】
上記患者固定装置が、上記駆動部とは別に上記患者固定装置に載った上記患者の頭尾方向を軸として回転可能となるように、上記駆動部に取り付けられた請求項１乃至５のいずれか１項に記載の粒子線照射システム。
【請求項７】
上記駆動部が、上記患者固定装置を配置可能な板状の平面構造を備え、駆動装置によってギアを利用して上記患者固定装置に固定された上記患者の患部を上記ＣＴスキャナーの上記検出範囲と上記粒子線照射装置の上記照射範囲との間で移動させる駆動手段を備えた請求項１乃至６のいずれか１項に記載の粒子線照射システム。
【請求項８】
上記収納ユニットが、上記駆動装置及び該駆動装置と合わせて上記ＣＴスキャナーと同程度の重さにするバランスを収納した請求項７に記載の粒子線照射システム。
【請求項９】
上記収納ユニットの両側壁が、回転軸部材によって上記室の両側壁に回転可能に支持された請求項１乃至８のいずれか１項に記載の粒子線照射システム。
【手続補正２】
【補正対象書類名】明細書
【補正対象項目名】０００７
【補正方法】変更
【補正の内容】
【０００７】
即ち、本発明は、ガントリー構造を持たず、一方向から陽子線、重イオン線などの粒子線を患者の患部に照射する粒子線照射装置と、該粒子線照射装置の粒子線照射部と同室に設置され、上記患者の患部を位置確認するＣＴスキャナーと、該ＣＴスキャナーの検出範囲と上記粒子線照射装置の照射範囲との間で上記患者を移動させる駆動部と、上記患者を固定し、上記駆動部に上記患者の頭尾方向を軸とした回転運動可能に装着される患者固定装置と、該患者固定装置を装着した上記駆動部と上記ＣＴスキャナーとを収納する構造を有し、上記粒子線照射装置の照射方向と上記駆動部の移動方向を含む平面に対して直交する軸で回転可能な収納ユニットとを備えたことを特徴とする粒子線照射システムを提供する。ここで、「ＣＴスキャナーの検出範囲」とは、ＣＴスキャナーのいわゆるガントリーの中央部分（範囲、領域）であり、「粒子線照射装置の照射範囲」とは、治療室内で粒子線が通過する部分（範囲、領域）である。
【手続補正３】
【補正対象書類名】明細書
【補正対象項目名】０００８
【補正方法】変更
【補正の内容】
【０００８】
本発明の粒子線照射システムは、ガントリー構造を持たず、一方向から陽子線、重イオン線などの粒子線を患者の患部に照射する粒子線照射装置と、該粒子線照射装置の粒子線照射部と同室に設置され、患者の患部を位置確認するＣＴスキャナーと、該ＣＴスキャナーの検出範囲と粒子線照射装置の照射範囲との間で患者を移動させる駆動部と、患者を固定し、駆動部に患者の頭尾方向を軸とした回転運動可能に装着される患者固定装置と、該患者固定装置を装着した駆動部とＣＴスキャナーとを収納する構造を有し、粒子線照射装置の照射方向と駆動部の移動方向を含む平面に対して直交する軸で回転可能な収納ユニットとを備えているので、患者固定装置の回転運動と駆動部の移動運動と収納ユニットの回転運動とを組み合わせることで、様々な方向からＣＴスキャナーで患者の患部を正確に位置確認し、患部に対して様々な方向から粒子線照射が可能となる。なお、本発明において、ＣＴスキャナーは、粒子線照射装置の少なくとも粒子線照射部と同室に配設されたものであり、粒子線照射装置全体がＣＴスキャナーと同室に配設されていても良いのは勿論である。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた始動口と、該始動口に遊技球が入球したことに基づいて遊技者に所定の利益を付与する利益付与状態に制御するか否かを判定する利益付与判定手段と、該利益付与判定手段による判定がなされたことに基づいて複数種類の図柄情報の変動表示を開始して所定期間経過後に所定の表示結果を導出表示可能な演出表示装置と、を備え、前記利益付与判定手段により前記利益付与状態に制御すると判定されたことに基づいて前記演出表示装置に特定の表示結果を導出表示する遊技機であって、
前記利益付与判定手段の判定結果に基づいて前記演出表示装置に導出表示する表示結果としての図柄情報を決定する表示結果決定手段と、
前記利益付与判定手段の判定結果に基づいて前記図柄情報の変動表示を開始してから前記表示結果を導出表示するまでの変動表示期間を決定する変動表示期間決定手段と、
前記演出表示装置にて前記図柄情報を変動表示し、変動表示を開始してからの経過時間が前記変動表示期間決定手段によって決定された変動表示期間に達したときに前記表示結果決定手段によって決定された図柄情報を導出表示する表示制御手段と、
前記利益付与判定手段によって前記利益付与状態に制御すると判定されたときに、前記利益付与状態の終了後に前記利益付与判定手段によって前記利益付与状態に制御すると判定される確率が通常よりも高い高確率状態に制御するか否かを判定する高確率制御判定手段と、
該高確率制御手段によって前記高確率状態に制御すると判定されたことに基づいて前記高確率状態の制御を実行する高確率制御手段と、
前記利益付与判定手段によって前記利益付与状態に制御すると判定されたときに、前記変動表示期間決定手段によって通常の変動表示期間よりも短い変動表示期間に決定する時短状態に制御するか否かを判定する時短制御判定手段と、
該時短制御判定手段によって前記時短状態に制御すると判定されたことに基づいて前記時短状態の制御を実行する時短制御手段と、
前記遊技領域に配設され、遊技球の受け入れが可能な開放状態と遊技球を受け入れが困難な閉塞状態とに変化可能な大入賞口開閉装置と、
前記利益付与判定手段によって前記利益付与状態に制御すると判定された後、前記表示制御手段によって前記演出表示装置に前記特定の表示結果を導出表示したことに基づいて前記大入賞口開閉装置を開閉制御する処理を複数回繰り返し実行することにより前記利益付与状態の制御を行う利益付与状態制御手段と、
前記演出表示装置にて前記図柄情報の変動表示を開始するときに、少なくとも前記時短状態に制御されているときに行われる演出であって、前記高確率状態に制御する割合が高いことを示唆する示唆演出を実行するか否かを判定する示唆演出判定手段と、を備え、
前記表示結果決定手段は、前記利益付与判定手段によって前記利益付与状態に制御すると判定されたとき、前記高確率制御判定手段によって前記高確率状態に制御するか否かを前記図柄情報の表示結果によって判別困難に当該表示結果を決定し、
前記表示制御手段は、前記利益付与状態制御手段によって前記利益付与状態に制御するとき、前記高確率状態に制御するか否かを判別困難に前記利益付与状態に関わる表示制御を実行し、
前記示唆演出判定手段は、前記高確率制御手段によって前記高確率状態に制御していないときには第１の確率で前記示唆演出を実行すると判定し、前記高確率状態制御手段によって前記高確率状態に制御しているときには前記第１の確率よりも高い第２の確率で前記示唆演出を実行すると判定することを特徴とする遊技機。
【請求項２】
前記示唆演出を実行するタイミングとして、前記図柄情報の変動表示を開始してから前記表示結果を導出表示するまでの予め決められた複数種類のタイミングのうちいずれかに決定する表示タイミング決定手段をさらに備えることを特徴とする請求項１記載の遊技機。
【請求項３】
前記演出表示装置は、複数の表示領域を有し、
前記表示制御手段は、前記複数の表示領域夫々で前記複数種類の図柄情報の変動表示を開始した後、前記複数の表示領域にて変動表示される図柄情報を所定の順序で停止表示させ、
前記表示タイミング決定手段は、前記複数の表示領域夫々に前記図柄情報を停止表示するタイミングのうちいずれかに決定することを特徴とする請求項２記載の遊技機。
【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
所定の判定条件が成立したことに基づいて遊技者に利益を付与すべきか否かの判定を行う当落判定手段と、該当落判定手段により遊技者に利益を付与すべき判定がなされたことに基づいて遊技者に利益を付与する利益付与状態に制御する利益付与状態制御手段と、を備えた遊技機であって、
遊技に伴う演出が表示される表示手段と、
前記当落判定手段の判定結果に基づいて前記表示手段にて識別情報の変動表示を行って所定期間経過後に前記判定結果に応じた識別情報の表示結果を停止表示すると共に、前記当落判定手段により遊技者に利益を付与すべき判定がなされたときに前記識別情報をリーチ態様で表示した後に表示結果として特定表示結果を停止表示する表示制御手段と、
複数種類のリーチ演出態様を記憶するリーチ演出態様記憶手段と、
該リーチ演出態様記憶手段に記憶された前記複数種類のリーチ演出態様のうちいずれかのリーチ演出態様を選択するリーチ演出態様選択手段と、
該リーチ演出態様選択手段によって選択されたリーチ演出態様に基づいたリーチ演出を前記リーチ態様の表示後に実行するリーチ演出実行手段と、を備え、
前記リーチ演出態様選択手段は、
前記複数種類のリーチ演出態様のうち特定のリーチ演出態様を選択可能にする特定リーチ演出態様選択権利を取得条件の成立に基づいて遊技者に付与する選択権利付与手段と、
前記取得条件が成立したか否かを判定する取得条件判定手段と、
前記選択権利付与手段によって前記特定リーチ演出態様選択権利が付与された状態で当該特定リーチ演出態様選択権利を使用するか否かを遊技者の意思に基づいて決定する選択権利使用決定手段と、
該選択権利使用決定手段によって前記特定リーチ演出態様選択権利を使用することが決定されたときに、当該特定リーチ演出態様選択権利が特定するリーチ演出態様を選択する特定リーチ演出態様選択手段と、を備え、
前記取得条件判定手段は、
前記識別情報の変動表示毎に乱数を抽出すると共に該乱数の抽出値が決定値と一致するか否かを判定し、前記抽出値が前記決定値と一致すると判定したときに前記取得条件が成立したことを判定する乱数抽出判定手段を含むことを特徴とする遊技機。
【請求項２】
前記選択権利付与手段は、前記特定のリーチ演出態様を複数種類設定すると共に、該複数種類の特定のリーチ演出態様と個々に対応する複数種類の前記特定リーチ演出態様選択権利のいずれかを遊技者に付与し、
前記乱数抽出判定手段は、前記複数種類の特定リーチ演出態様選択権利と個々に対応する複数の前記決定値を設定することを特徴とする請求項１記載の遊技機。
【請求項３】
前記選択権利使用決定手段は、前記選択権利付与手段によって前記特定リーチ演出態様選択権利が複数種類付与された状態で当該複数種類の特定リーチ演出態様選択権利のうち２種類以上の使用を同時に許可する複数権利使用許可手段を含むことを特徴とする請求項２記載の遊技機。
【手続補正２】
【補正対象書類名】明細書
【補正対象項目名】０００６
【補正方法】変更
【補正の内容】
【０００６】
（解決手段３）
解決手段１又は解決手段２において、前記選択権利付与手段は、前記特定のリーチ演出態様を複数種類設定すると共に、該複数種類の特定のリーチ演出態様と個々に対応する複数種類の前記特定リーチ演出態様選択権利のいずれかを遊技者に付与することを特徴とする請求項１記載の遊技機。
この場合、遊技者が選択可能となる特定のリーチ演出態様を複数種類設定することで、リーチ演出態様の選択肢を増やすことができ、より一層遊技の興趣の低下を抑制することができる。
【手続補正３】
【補正対象書類名】明細書
【補正対象項目名】０００７
【補正方法】変更
【補正の内容】
【０００７】
（解決手段４）
解決手段３において、前記選択権利使用決定手段は、前記選択権利付与手段によって前記特定リーチ演出態様選択権利が複数種類付与された状態で当該複数種類の特定リーチ演出態様選択権利のうち２種類以上の使用を同時に許可する複数権利使用許可手段を含むことを特徴とする請求項２記載の遊技機。
この場合、２種類以上の特定リーチ演出態様選択権利を同時に使用可能にすること、言い換えれば遊技者が特定し得るリーチ演出態様を２種類以上設定できるようにすることで、遊技者が特定するリーチ演出態様を多彩にすることができ、より一層遊技の興趣の低下を抑制することができる。
【手続補正４】
【補正対象書類名】明細書
【補正対象項目名】００１０
【補正方法】変更
【補正の内容】
【００１０】
（解決手段７）
解決手段３乃至解決手段６において、前記乱数抽出判定手段は、前記複数種類の特定リーチ演出態様選択権利と個々に対応する複数の前記決定値を設定することを特徴とする請求項１記載の遊技機。
この場合、複数種類の特定リーチ演出態様選択権利の取得をランダムに行うことができるので、複数種類の特定リーチ演出態様選択権利の取得に対して多様性を持たせることができ、ひいては遊技の興趣の低下を抑制することができる。
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
半導体基板とＭＥＭＳ構造体とを備えるＭＥＭＳ素子であって、
前記ＭＥＭＳ構造体は、可動部と前記半導体基板に固定されている基部とを有し、
前記可動部は、前記半導体基板方向への変位量が最大の部分を含む最大可動部と、
前記基部と前記最大可動部との中間位置にある中間可動部とを備え、
前記半導体基板の前記最大可動部に対向する領域のＮ型不純物濃度は、前記半導体基板の前記中間可動部に対向する領域のＮ型不純物濃度と比較して高く、
前記最大可動部と前記半導体基板との間の距離をｄ１、
前記中間可動部と前記半導体基板との間の距離をｄ２とすると、
ｄ２＜ｄ１の関係であることを特徴とするＭＥＭＳ素子。
【請求項２】
前記半導体基板の前記最大可動部に対向する領域および前記半導体基板の前記中間可動部に対向する領域のうちの少なくとも一つの領域は、前記ＭＥＭＳ構造体に対する駆動電極であることを特徴とする請求項１に記載のＭＥＭＳ素子。
【請求項３】
前記半導体基板の前記基部に対向する領域は、前記半導体基板の前記中間可動部に対向する領域のＮ型不純物濃度と比較してＮ型不純物濃度が高く、かつ前記ＭＥＭＳ構造体の配線部であることを特徴とする請求項１または２に記載のＭＥＭＳ素子。
【請求項４】
半導体基板と該半導体基板に固定されている基部を有するＭＥＭＳ構造体とを備えるＭＥＭＳ素子の製造方法であって、
前記半導体基板にＮ型不純物を導入することによって、前記ＭＥＭＳ構造体の前記半導体基板方向の変位量が最大の部分を含む最大可動部に対向する前記半導体基板の領域のＮ型不純物濃度を、前記基部と前記最大可動部との中間位置にある中間可動部に対向する前記半導体基板の領域のＮ型不純物濃度と比較して高くする不純物領域形成工程と、
熱酸化によって前記半導体基板に犠牲層を形成する犠牲層形成工程と、
前記ＭＥＭＳ構造体を前記犠牲層上に形成する工程と、
ウェットエッチング法によって前記犠牲層を除去する工程とを含むことを特徴とするＭＥＭＳ素子の製造方法。
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
ＭＥＭＳ構造体と、
前記ＭＥＭＳ構造体に設けられた可動電極と、
前記可動電極との間で容量を形成するフローティングゲートと、
前記可動電極との間で容量を形成する駆動電極と、を備えていることを特徴とするＭＥＭＳ素子。
【請求項２】
請求項１に記載のＭＥＭＳ素子において、
前記ＭＥＭＳ構造体は、前記可動電極の一端が基部を介して半導体基板に固定されており、
前記駆動電極は、前記可動電極の他端に対向して配置され、
前記フローティングゲートは、前記可動電極の一端と前記可動電極の他端との間の前記可動電極に対向して配置されていることを特徴とするＭＥＭＳ素子。
【請求項３】
請求項１に記載のＭＥＭＳ素子において、
前記ＭＥＭＳ構造体は、前記可動電極の一端が基部を介して半導体基板に固定されており、
前記フローティングゲートは、前記可動電極の他端に対向して配置されていることを特徴とするＭＥＭＳ素子。
【請求項４】
請求項２または請求項３に記載のＭＥＭＳ素子において、
前記フローティングゲートは、前記半導体基板に形成されたゲート配線とトンネル酸化膜とを介して接続されていることを特徴とするＭＥＭＳ素子。
【請求項５】
請求項４に記載のＭＥＭＳ素子において、
前記フローティングゲートと前記ゲート配線とが前記トンネル酸化膜によって接続されているゲート領域と、前記可動電極が形成される前記半導体基板上の領域とが平面視で異なることを特徴とするＭＥＭＳ素子。
【請求項６】
ＭＥＭＳ構造体とフローティングゲートとを備えたＭＥＭＳ素子の製造方法であって、
半導体基板にＮ型不純物を導入し、ゲート配線およびゲート領域にＮ+拡散層を形成するＮ+拡散層形成工程と、
前記Ｎ+拡散層が形成された前記半導体基板の面にシリコン酸化膜を形成する絶縁膜形成工程と、
前記シリコン酸化膜の表面の前記ゲート領域をマスクして、シリコン窒化膜を形成するエッチングストッパ膜形成工程と、
前記ゲート領域の前記シリコン酸化膜をエッチングし、前記Ｎ+拡散層を露出させるエッチング工程と、
露出した前記Ｎ+拡散層にトンネル酸化膜を形成するトンネル酸化膜形成工程と、
前記ＭＥＭＳ構造体の下部構造体と前記フローティングゲートとを形成するフローティングゲート等形成工程と、
前記下部構造体および前記フローティングゲート上に犠牲層を形成する犠牲層形成工程と、
前記ＭＥＭＳ構造体の上部構造体を形成する上部構造体形成工程と、
前記犠牲層をエッチングして除去する犠牲層除去工程と、を含むことを特徴とするＭＥＭＳ素子の製造方法。
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
レーザー光を発振するレーザー光発振器と、
レーザー光遮断部、第１のスリット部、第２のスリット部を備え、前記レーザー光の光路内に配置されるスリットユニットと、
を備えるレーザーリペアシステムであって、
前記レーザー光遮断部は照射されるレーザー光を遮断する部分であり、前記第１のスリット部及び前記第２のスリット部は照射されるレーザー光を透過させる部分であり、
前記第１のスリット部は、前記第１のスリット部を透過したレーザー光の光量が前記第２のスリット部を透過したレーザー光の光量よりも大きくなるように形成されていることを特徴とするレーザーリペアシステム。
【請求項２】
前記第２のスリット部は、前記第１のスリット部の外周に沿って設けられていることを特徴とする請求項１に記載のレーザーリペアシステム。
【請求項３】
前記レーザー光遮断部は、
第１の開口部を有する第１のレーザー光遮断部と、
第２の開口部を有する第２のレーザー光遮断部と、
を備え、
前記第１のレーザー光遮断部と前記第２のレーザー光遮断部は交差状に配設され、前記第１のスリット部は前記第１の開口部と前記第２の開口部とが重なり合う領域により限定されることを特徴とする請求項１または２に記載のレーザーリペアシステム。
【請求項４】
前記第１のレーザー光遮断部は、
第１のプレートと、
前記第１のプレートから一定の距離離れて配設された第２のプレートと、
を備え、
前記第２のレーザー光遮断部は、
第３のプレートと、
前記第３のプレートから一定の距離離れて配設された第４のプレートと、
を備えることを特徴とする請求項３に記載のレーザーリペアシステム。
【請求項５】
前記スリットユニットは、前記第１のレーザー光遮断部及び前記第２のレーザー光遮断部の位置を変化させる駆動部をさらに備えることを特徴とする請求項３または４に記載のレーザーリペアシステム。
【請求項６】
前記駆動部は、
前記第１のレーザー光遮断部に接続されて、前記第１のプレートと前記第２のプレートを第１の軸方向に移動させる第１の駆動部と、
前記第２のレーザー光遮断部に接続されて、前記第３のプレートと前記第４のプレートを第２の軸方向に移動させる第２の駆動部と、
を備えることを特徴とする請求項５に記載のレーザーリペアシステム。
【請求項７】
前記第２のスリット部は、前記第１のレーザー光遮断部を形成する前記第１のプレートまたは前記第２のプレート、前記第２のレーザー光遮断部を形成する前記第３のプレートまたは前記第４のプレートのうち少なくとも一つのプレートに設けられたスリットを備えることを特徴とする請求項３〜６のいずれか１項に記載のレーザーリペアシステム。
【請求項８】
前記第２のスリット部は、長方形のホールからなることを特徴とする請求項７に記載のレーザーリペアシステム。
【請求項９】
前記第１のプレート、前記第２のプレート、前記第３のプレート、前記第４のプレートのいずれかのプレートには、長方形のホールからなるスリットが設けられ、前記長方形のホールは各々離間していることを特徴とする請求項７または８に記載のレーザーリペアシステム。
【請求項１０】
前記長方形のホールは、異なるサイズを有することを特徴とする請求項９に記載のレーザーリペアシステム。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技装置と、
遊技球を貯留する球受け皿と、
発射操作に基づいて遊技球を発射する遊技球発射装置と、
当該遊技球発射装置から発射された遊技球を前記遊技領域に向けて誘導する誘導部と、
前記遊技球発射装置よりも遊技球の発射方向側であって前記誘導部を逆流してくる遊技球を回収可能な位置に回収口を有し、その回収した遊技球を前記球受け皿に向けて導く回収通路部と、
当該回収通路部を通過する遊技球を検知する球検知手段と
を備えていることを特徴とする遊技機。
【請求項２】
遊技球が流下する遊技領域が形成された遊技装置と、
遊技球を貯留する球受け皿と、
発射操作に基づいて遊技球を発射する遊技球発射装置と、
当該遊技球発射装置から発射された遊技球を前記遊技領域に向けて誘導する誘導部と、
前記遊技球発射装置よりも遊技球の発射方向側であって前記誘導部を逆流してくる遊技球を回収可能な位置に回収口を有し、その回収した遊技球を前記球受け皿に向けて導く回収通路部と、
当該回収通路部を通過する遊技球を検知する球検知手段と、
当該球検知手段の検知結果に基づいて前記遊技球発射装置による遊技球の発射を禁止する発射禁止手段と
を備えていることを特徴とする遊技機。
【請求項３】
前記回収通路部は、前記球検知手段の検知位置よりも上流側に、少なくとも１個の遊技球が待機可能な領域を有することを特徴とする請求項１又は２に記載の遊技機。
【請求項４】
前記遊技装置の遊技結果に基づいて遊技球を払い出す払出装置と、当該払出装置から払い出された遊技球を前記球受け皿に向けて導く皿側通路部とを備えており、
前記回収通路部を、前記皿側通路部の途中位置にて合流するよう形成し、
前記球検知手段を前記回収通路部の途中位置にて当該回収通路部を流下する遊技球を検知するように設けたことを特徴とする請求項１乃至３のいずれか１に記載の遊技機。
【請求項５】
遊技球が流下する遊技領域が形成された遊技装置と、
発射操作に基づいて遊技球を発射する遊技球発射装置と、
当該遊技球発射装置から発射された遊技球を前記遊技領域に向けて誘導する誘導部と、
前記遊技装置の遊技結果に基づいて遊技球を払い出す払出装置と、
当該払出装置から払い出された遊技球を貯留する球受け皿と、
前記払出装置から払い出された遊技球を前記球受け皿に向けて導く払出側通路部と、
当該払出側通路部を通過する遊技球を検知する満杯検知手段と、
前記遊技球発射装置よりも遊技球の発射方向側であって前記誘導部を逆流してくる遊技球を回収可能な位置に回収口を有し、その回収した遊技球を前記球受け皿に向けて導く回収側通路部と、
当該回収側通路部を通過する遊技球を検知する回収球検知手段と、
前記満杯検知手段の検知結果に基づいて前記払出装置による遊技球の払い出しを制限するとともに、前記回収球検知手段の検知結果に基づいて前記払出装置による遊技球の払い出しを制限する払出制限手段と
を備えたことを特徴とする遊技機。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技装置と、
発射操作に基づいて遊技球を発射する遊技球発射装置と、
当該遊技球発射装置から発射された遊技球を前記遊技領域に向けて誘導する誘導部と、
前記遊技球発射装置よりも遊技球の発射方向側に設けられ、前記誘導部を逆流してくる遊技球を回収する回収部と、
前記遊技装置の遊技結果に基づいて遊技球を払い出す払出装置と、
当該払出装置から払い出された遊技球を貯留する球受け皿と、
前記払出装置から払い出された遊技球を前記球受け皿に向けて導く皿側通路部と、
前記回収部にて回収した遊技球を前記球受け皿に向けて導く回収側通路部と
を備え、
前記球受け皿には、前記回収側通路部の排出口を前記皿側通路部の排出口とは別に設けたことを特徴とする遊技機。
【請求項２】
前記皿側通路部は前記回収部の下方を通るようにして形成されており、
さらに、前記皿側通路部を通過する遊技球を検知する満杯検知手段と、当該満杯検知手段の検知結果に基づいて前記払出装置による遊技球の払い出しを制限する払出制限手段とを備えており、
前記満杯検知手段を、前記皿側通路部における前記回収部の下方領域よりも上流側にて遊技球を検知するよう設けたことを特徴とする請求項１に記載の遊技機。
【請求項３】
前記遊技装置が搭載されるベース体と、
当該ベース体の前側に設けられ、前記遊技装置における遊技を視認可能とする窓パネル部と、
前記ベース体に対して前方に回動可能に設けられ、前記窓パネル部及び前記球受け皿を有する遊技機前面体と
を備え、
当該遊技機前面体に前記回収側通路部を設けたことを特徴とする請求項１又は２に記載の遊技機。
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
複数本の箒毛を束ねると共に揺動自在のコイルスプリングから形成された筒状体に収納した箒毛束の複数束を箒基体に固定して強度補強を施した強度補強箒において、
前記コイルスプリングの巻き形状が、少なくとも根元部では四角形又は三角形であり、
隣接する箒毛束の根元部同士が、該根元部の四角形又は三角形の隣接して向かい合う面同士で当接するように前記各箒毛束が箒基体に固定されていること、
を特徴とする強度補強箒。
【請求項２】
前記箒毛束の先端部分が、前記コイルスプリングの先端から突出した状態で収納された構成であることを特徴とする請求項１に記載の強度補強箒。
【請求項３】
前記コイルスプリングの頭部に、隣接するコイル部が密着している密着コイル部を有し、
前記コイルスプリングの他の部分の少なくとも一部は、隣接するコイル部が離開している粗コイル部であること
を特徴とする請求項１又は２に記載の強度補強箒。
【請求項４】
（１）前記コイルスプリングの頭部の密着コイル部が、又は（２）前記コイルスプリングの頭部の密着コイル部と該密着コイル部に連続する粗コイル部の一部が、ゴム、エラストマー、熱可塑性樹脂又は熱硬化性樹脂である樹脂であって軟質性のもの（以下「軟質性樹脂」という。）で被覆された構成であることを特徴とする請求項３に記載の強度補強箒。
【請求項５】
前記コイルスプリングの頭部の巻き形状が、四角形又は三角形であることを特徴とする請求項１〜４のいずれかに記載の強度補強箒。
【請求項６】
前記複数の箒毛束が横方向に並列され、該複数の箒毛束の根元部が並列方向に直交する両側から挟着された状態で固定された構成であることを特徴とする請求項１〜５のいずれかに記載の強度補強箒。
【請求項７】
前記複数の箒毛束が、コイルスプリングの中間部乃至は頭部の何れかの少なくとも一箇所で並列方向に横断する掛止部材により束ねられた構成であることを特徴とする請求項６に記載の強度補強箒。
【請求項８】
前記複数の箒毛束の根元部が閉塞する略円形を形成するように円形方向に並列され、該円形の状態が固定されると共に、該円形の略中央に形成された空隙部に箒の柄が取り付けられた構成であることを特徴とする請求項１〜５のいずれかに記載の強度補強箒。
【請求項９】
前記コイルスプリングの根元部の巻き形状が等脚台形であることを特徴とする請求項９に記載の強度補強箒。
【請求項１０】
前記コイルスプリングの中間部に、隣接するコイル部が密着している密着コイル部を有する構成であることを特徴とする請求項８又は９に記載の強度補強箒。
【請求項１１】
請求項１〜１０のいずれかに記載の強度補強箒を用い、該強度補強箒の複数本の箒毛を束ねた箒毛束が、これを囲むコイルスプリングによって揺動しながら、ゴミを掃き寄せることを特徴とする清掃方法。
【手続補正２】
【補正対象書類名】明細書
【補正対象項目名】００１３
【補正方法】変更
【補正の内容】
【００１３】
１．複数本の箒毛を束ねると共に揺動自在のコイルスプリングから形成された筒状体に収納した箒毛束の複数束を箒基体に固定して強度補強を施した強度補強箒において、
前記コイルスプリングの巻き形状が、少なくとも根元部では四角形又は三角形であり、
隣接する箒毛束の根元部同士が、該根元部の四角形又は三角形の隣接して向かい合う面同士で当接するように前記各箒毛束が箒基体に固定されていること、
を特徴とする強度補強箒。
【手続補正３】
【補正対象書類名】明細書
【補正対象項目名】００１７
【補正方法】変更
【補正の内容】
【００１７】
５．前記コイルスプリングの頭部の巻き形状が、四角形又は三角形であることを特徴とする上記１〜４のいずれかに記載の強度補強箒。
【手続補正４】
【補正対象書類名】明細書
【補正対象項目名】００２５
【補正方法】変更
【補正の内容】
【００２５】
請求項１に示す発明によれば、コイルスプリングに収納された箒毛束の複数がその根元部の四角形又は三角形の部分において隣接して向かい合う面同士で当接するように並列した状態で箒基体に固定された構成であるので、従来の箒では掃き寄せが困難であったゴミの掃き寄せ性が良好である。
【手続補正５】
【補正対象書類名】明細書
【補正対象項目名】００２９
【補正方法】変更
【補正の内容】
【００２９】
請求項５に示す発明によれば、コイルスプリングの頭部の巻き形状が四角形又は三角形であることにより、コイルスプリング内の箒毛束は清掃時に掃き寄せ方向両側に逃げるように分離して中央部分に空隙が生じてしまうことがなく、掃き寄せ方向前方に空隙が生じる程度である。これは、コイルスプリングが円筒形の場合ではコイルスプリングの内側が形成する丸い内壁に沿って箒毛束が外寄りに逃げてしまうことで掃き寄せ方向の両側に分離してしまうのに対し、コイルスプリングの巻き形状を四角形又は三角形とすることで、四角形又は三角形の各角部分が、コイルスプリング内で移動する各箒毛が掃き寄せ方向両側に逃げてしまうのを防止するストッパーとして作用するためである。
従って、コイルスプリングに収納された箒毛束の密集度に高低が生じることが無く、均一な密集度による掃き寄せが可能となる。
【手続補正６】
【補正対象書類名】明細書
【補正対象項目名】００４４
【補正方法】変更
【補正の内容】
【００４４】
コイルスプリング４は、巻き形状が、少なくとも根元部４Ａでは四角形又は三角形である。四角形又は三角形としては、好ましくは図２に示すような略正四角形が好ましいが、二等辺三角形や直角三角形等の三角形でもよいし、長方形、平行四辺形、台形等の他の四角形でもよい。四角形又は三角形のコイルスプリング４は、異形コイル等の形成機である公知公用のフォーミングマシンを用いることで形成することができる。尚、根元部４Ａを除く部分については、該根元部４Ａと同様の巻き形状、即ち、四角形又は三角形であってもよいし、他の形状、即ち、円形や楕円形、根元部４Ａとは異なる形状の四角形その他の多角形であってもよい。
【手続補正７】
【補正対象書類名】明細書
【補正対象項目名】００６７
【補正方法】変更
【補正の内容】
【００６７】
尚、本第２実施例では、根元部４Ａの巻き形状が当脚台形である８束の箒毛束３を円形方向に並列した構成としているが、複数の箒毛束３を円形方向に並列させた際に閉塞する略円形を形成する巻き形状であれば本発明は当該構成に限定されず、二等辺三角形の巻き形状であってもよいし、並列する箒毛束３の数も８束以外の複数であってもよい。
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤と、該遊技盤をその前面側に着脱自在に取り付ける本体枠と、該本体枠の一側に開閉自在に軸支されて前記遊技盤の遊技領域を視認可能に透明板で被覆された遊技窓が形成される扉枠と、を備えるパチンコ遊技機であって、
前記遊技盤は、少なくとも、
当該遊技盤の遊技領域に配置され、かつ、ランプが複数実装されたプリント基板が取り付けられた遊技装置
を備え、
前記プリント基板は、前記ランプに電力を供給するパターンが模様を構成するように設けられ、かつ、前記ランプが発した光でその模様を視認することができることを特徴とするパチンコ遊技機。
【請求項２】
前記プリント基板は、透明な合成樹脂で形成されていることを特徴とする請求項１に記載のパチンコ遊技機。
【請求項３】
前記プリント基板は、半透明な合成樹脂で形成されていることを特徴とする請求項１に記載のパチンコ遊技機。
【手続補正２】
【補正対象書類名】明細書
【補正対象項目名】００１２
【補正方法】変更
【補正の内容】
【００１２】
（解決手段２）
解決手段１に記載のパチンコ遊技機であって、前記プリント基板は、透明な合成樹脂で形成されていることを特徴とするパチンコ遊技機。こうすれば、プリント基板後側の背景を視認することができる。ここで、背景としては、液晶表示器の表示領域に表示されている画像（静止画又は動画）や電飾ランプの発した光によるイルミネーション等を挙げることができる。液晶表示器の表示領域で表示された画像又は電飾ランプの発した光によるイルミネーションと、透明な合成樹脂で形成されたプリント基板に実装されたランプが発した光と、による奥行き感を持たせた演出を行うことができる。また液晶表示器の表示領域で表示された画像又は電飾ランプの発した光によるイルミネーションによって、プリント基板に設けたパターンを際立たせることができる。
（解決手段３）
解決手段１に記載のパチンコ遊技機であって、前記プリント基板は、半透明な合成樹脂で形成されていることを特徴とするパチンコ遊技機。こうすれば、モチーフのイメージに合わせて材質を選択することができる。例えば、ポリイミド系では茶褐色の半透明である。
【手続補正３】
【補正対象書類名】明細書
【補正対象項目名】００１３
【補正方法】変更
【補正の内容】
【００１３】
本発明の請求項１においては、電力を供給するパターンが見えても遊技者に違和感を与えない。請求項２においては、プリント基板後側の背景を視認することができる。請求項３においては、モチーフのイメージに合わせて材質を選択することができる。
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
文字が割り当てられた文字入力キーと、
表示部と、
待ち受け状態において、前記文字入力キーが操作された場合に、操作された文字入力キーに割り当てられる文字を前記表示部に表示させ、当該文字が表示された状態で、検索アプリケーションの起動が指示された場合に、前記表示部に表示されている入力文字を用いて検索を実行する制御部を備える携帯端末装置。
【請求項２】
前記制御部は、前記文字入力キーの操作に基づく入力文字が前記表示部に表示されている状態において、アプリケーション選択メニューを表示させ、当該アプリケーション選択メニューの中から検索アプリケーションが選択された場合、表示されている前記入力文字を当該検索アプリケーションの文字入力領域に入力させた状態で当該検索アプリケーションを起動させる請求項１記載の携帯端末装置。
【請求項３】
前記制御部は、前記表示部に表示されている前記入力文字を用いて前記検索アプリケーションによる検索を実行した場合、検索結果を前記表示部に表示する請求項１又は２記載の携帯端末装置。
【請求項４】
前記検索アプリケーションは、辞書検索、データ検索、電話検索又はインターネット検索を行うアプリケーションである請求項１記載の携帯端末装置。
【請求項５】
文字が割り当てられた文字入力キーと、表示部と、制御部を備える携帯端末装置の制御方法であって、
待ち受け状態において、前記文字入力キーが操作された場合に、操作された文字入力キーに割り当てられる文字を前記表示部に表示させる表示工程と、
前記表示部に文字が表示された状態で、検索アプリケーションの起動が指示された場合に、前記表示部に表示されている前記文字を用いて前記制御部により検索を実行する検索実行工程を備える制御方法。
【手続補正２】
【補正対象書類名】明細書
【補正対象項目名】発明の名称
【補正方法】変更
【補正の内容】
【発明の名称】携帯端末装置及び制御方法
【手続補正３】
【補正対象書類名】明細書
【補正対象項目名】０００９
【補正方法】変更
【補正の内容】
【０００９】
上記目的を達成するために、本発明に係る携帯端末装置は、文字が割り当てられた文字入力キーと、表示部と、待ち受け状態において、前記文字入力キーが操作された場合に、操作された文字入力キーに割り当てられる文字を前記表示部に表示させ、当該文字が表示された状態で、検索アプリケーションの起動が指示された場合に、前記表示部に表示されている前記文字を用いて検索を実行する制御部を備える構成である。
【手続補正４】
【補正対象書類名】明細書
【補正対象項目名】００１０
【補正方法】変更
【補正の内容】
【００１０】
また、携帯端末装置では、前記制御部は、前記文字入力キーの操作に基づく入力文字が前記表示部に表示されている状態において、アプリケーション選択メニューを表示させ、当該アプリケーション選択メニューの中から検索アプリケーションが選択された場合、表示されている前記入力文字を当該検索アプリケーションの文字入力領域に入力させた状態で当該検索アプリケーションを起動させることが好ましい。
【手続補正５】
【補正対象書類名】明細書
【補正対象項目名】００１１
【補正方法】変更
【補正の内容】
【００１１】
また、携帯端末装置では、前記制御部は、前記表示部に表示されている前記入力文字を用いて前記検索アプリケーションによる検索を実行した場合、検索結果を前記表示部に表示することが好ましい。
【手続補正６】
【補正対象書類名】明細書
【補正対象項目名】００１２
【補正方法】変更
【補正の内容】
【００１２】
前記検索アプリケーションは、辞書検索、データ検索、電話検索又はインターネット検索を行うアプリケーションであることが好ましい。
【手続補正７】
【補正対象書類名】明細書
【補正対象項目名】００１３
【補正方法】変更
【補正の内容】
【００１３】
また、上記目的を達成するために、本発明に係る制御方法は、文字が割り当てられた文字入力キーと、表示部と、制御部を備える携帯端末装置の制御方法であって、待ち受け状態において、前記文字入力キーが操作された場合に、操作された文字入力キーに割り当てられる文字を前記表示部に表示させる表示工程と、前記表示部に文字が表示された状態で、検索アプリケーションの起動が指示された場合に、前記表示部に表示されている前記文字を用いて前記制御部により検索を実行する検索実行工程を備える構成である。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
入力面に対するユーザの接触位置を検出する第１入力部と、
上記入力面に対するユーザの押圧を検出する第２入力部と、
上記第２入力部がユーザの押圧を検出したときに、上記第１入力部が検出した接触位置に予め対応付けられた第１の処理を行うことを指示する命令を生成する命令生成手段とを備えていることを特徴とする入力装置。
【請求項２】
上記接触位置を示すデータまたは上記第１の処理を行うことを指示する命令を外部の装置へ送信する送信部を備えていることを特徴とする請求項１に記載の入力装置。
【請求項３】
請求項２に記載の入力装置と、該入力装置から受信した上記接触位置を示すデータおよび上記第１の処理を行うことを指示する命令に従って動作する装置とを含むことを特徴とする送受信システム。
【請求項４】
入力装置と受信装置とからなる送受信システムであって、
上記入力装置は、
入力面に対するユーザの接触位置を検出する第１入力部と、
上記入力面に対するユーザの押圧を検出する第２入力部と、
上記第１入力部が検出する上記入力面に対するユーザの接触位置を示すデータ、および上記第２入力部が検出する上記入力面に対するユーザの押圧を示す信号を上記受信装置に送信する送信部とを備え、
上記受信装置は、
上記入力装置の送信部から送信される上記接触位置を示すデータ、および上記押圧を示す信号を受信する受信部と、
上記入力面に対するユーザの押圧を示す信号を受信したときに、上記受信部が受信した上記接触位置を示すデータに基づいて、上記第１入力部が検出した接触位置に予め対応付けられた第１の処理を行う受信処理手段とを備えていることを特徴とする送受信システム。
【請求項５】
上記受信装置は、上記入力面に対するユーザの接触位置の移動軌跡パターンと、該移動軌跡パターンに対応する第２の処理とを対応付けて記憶している記憶部と、
上記入力装置の送信部から送信される上記接触位置を示すデータに基づき、上記入力面に対するユーザの接触位置の軌跡が、上記移動軌跡パターンに該当するか否かを判定し、上記移動軌跡パターンに該当する場合、該移動軌跡パターンに対応する第２の処理を行う移動軌跡認識処理手段とを備えていることを特徴とする請求項４に記載の送受信システム。
【請求項６】
入力面に対するユーザの接触位置を検出する第１入力部と、
上記入力面に対するユーザの押圧を検出する第２入力部とを備える入力装置の入力処理方法であって、
上記第２入力部がユーザの押圧を検出したときに、上記第１入力部が検出した接触位置に予め対応付けられた第１の処理を行うことを指示する命令を生成するステップを含むことを特徴とする入力処理方法。
【請求項７】
請求項１または２に記載の入力装置を動作させる制御プログラムであって、コンピュータを上記命令生成手段として機能させるための制御プログラム。
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
ＤＭＡ転送機能を有するデータ入出力装置であって、
ＤＭＡに固有の転送に適したユーザバッファ作成サービスを有することを特徴とするデータ入出力装置。
【請求項２】
当該データ入出力装置を制御するＤＭＡデータ入出力用バッファを必要とするコントローラドライバと、
前記コントローラドライバを使用し、前記コントローラドライバへのデータ入出力用バッファを必要として、ファイルデータのキャッシュ操作を行うファイルシステムと、
前記ファイルシステムを使用し、前記ファイルシステムへのデータ入出力用バッファを必要とするアプリケーションと
を含むことを特徴とする請求項１に記載のデータ入出力装置。
【請求項３】
前記コントローラドライバは、
前記コントローラドライバに入出力されるデータバッファが前記ＤＭＡに固有の転送に適したバッファであると判断された場合に、前記コントローラドライバでは前記ＤＭＡを有するデータ入出力装置に入出力されるデータバッファを作成せず、
前記コントローラドライバに入力されたデータバッファ領域にキャッシュフラッシュを行ってＤＭＡ転送を指示し、
前記コントローラドライバから出力されるデータバッファ領域にキャッシュインバリデートを行ってＤＭＡ転送を指示することを特徴とする請求項２に記載のデータ入出力装置。
【請求項４】
前記ファイルシステムにおいて、前記アプリケーションから前記ファイルシステムに入出力されるデータバッファが連続しており、且つ前記ファイルシステムの管理ブロックサイズより大きいと判断された場合に、前記ファイルシステムでは前記コントローラドライバに入出力されるファイルデータをキャッシュするためのデータバッファを作成せず、前記アプリケーションから前記ファイルシステムに入出力されるデータバッファを前記コントローラドライバに入出力されるデータバッファとして使用することを特徴とする請求項２に記載のデータ入出力装置。
【手続補正書】
【提出日】平成21年12月9日(2009.12.9)
【手続補正１】
【補正対象書類名】明細書
【補正対象項目名】発明の名称
【補正方法】変更
【補正の内容】
【発明の名称】情報処理装置、露光装置及びデバイス製造方法
【手続補正２】
【補正対象書類名】特許請求の範囲
【補正対象項目名】全文
【補正方法】変更
【補正の内容】
【特許請求の範囲】
【請求項１】
基板に形成された複数のショットのそれぞれを露光する装置において計測の対象となるサンプルショットセットを決定する情報処理装置であって、
入出力部と、
前記入出力部から入力された該複数のショットの配列に関する情報に基づき、該複数のショットから複数のサンプルショットセットを生成し、かつ該複数のサンプルショットセットの中から計測精度と計測時間とが設定された要求を満たすサンプルショットセットを決定する処理部とを備えることを特徴とする情報処理装置。
【請求項２】
前記処理部は、該計測時間として、サンプルショットセットに関して計測を行うために該基板を移動させる時間を用いることを特徴とする請求項１に記載される情報処理装置。
【請求項３】
前記処理部は、最適化手法を用いて、該生成された複数のサンプルショットセットを変更することを特徴とする請求項１又は請求項２に記載される情報処理装置。
【請求項４】
前記最適化手法は遺伝的アルゴリズムを含むことを特徴とする請求項３に記載される情報処理装置。
【請求項５】
前記処理部は、サンプルショットセットの生成と該サンプルショットセットの変更との少なくとも一方において、各サンプルショットセットについて、該基板の移動時間が最小となる移動順序を選定し、かつ該移動順序に基づいて算出された該基板の移動時間を該計測時間として用いることを特徴とする請求項３又は請求項４に記載される情報処理装置。
【請求項６】
請求項１乃至請求項５のいずれか1項に記載される情報処理装置において決定されるサンプルショットセットに関して計測を行うことを特徴とする露光装置。
【請求項７】
請求項６に記載される露光装置を用いて基板を露光する工程と、
前記工程で露光された基板を現像する工程とを備えることを特徴とするデバイス製造方法。
【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
複数のステーションと複数の基板ステージとを有し、前記複数のステーションと前記複数の基板ステージとを用いてジョブを実行することにより、基板を露光する露光装置であって、
該ジョブを取得し、かつ該取得された複数のジョブの実行順序を決定する制御器を有し、
前記複数の基板ステージは、互いに異なるユニットの構成を有し、
前記制御器は、該複数のジョブを順次実行する場合に、前記複数の基板ステージそれぞれの位置の情報と、該複数のジョブそれぞれの実行に必要な該ユニットの情報とに基づいて定まる、前記複数のステーションの間で前記複数の基板ステージを入れ替える回数の少なさに基づいて、該複数のジョブの実行順序を決定する、ことを特徴とする露光装置。
【請求項２】
前記制御器は、実行順序が制約されるジョブの組合せの情報にさらに基づいて、該複数のジョブの実行順序を決定することを特徴とする請求項１に記載される露光装置。
【請求項３】
前記制御器は、該複数のジョブを取得順に格納し、かつ該取得順に格納された該複数のジョブの実行順序を決定することを特徴とする請求項１又は請求項２に記載される露光装置。
【請求項４】
請求項１乃至請求項３のいずれか1項に記載される露光装置を用いて基板を露光する工程と、
前記工程で該露光された基板を現像する工程とを備えることを特徴とするデバイス製造方法。
【手続補正２】
【補正対象書類名】明細書
【補正対象項目名】０００６
【補正方法】変更
【補正の内容】
【０００６】
本発明は、複数のステーションと複数の基板ステージとを有し、複数のステーションと複数の基板ステージとを用いてジョブを実行することにより、基板を露光する露光装置であって、ジョブを取得し、かつ取得された複数のジョブの実行順序を決定する制御器を有し、複数の基板ステージは、互いに異なるユニットの構成を有し、制御器は、複数のジョブを順次実行する場合に、複数の基板ステージそれぞれの位置の情報と、複数のジョブそれぞれの実行に必要なユニットの情報とに基づいて定まる、複数のステーションの間で複数の基板ステージを入れ替える回数の少なさに基づいて、複数のジョブの実行順序を決定する、ことを特徴とする。
【手続補正３】
【補正対象書類名】明細書
【補正対象項目名】０００８
【補正方法】変更
【補正の内容】
【０００８】
本発明の実施形態によれば、制御器は、複数のジョブを取得順に格納し、かつ取得順に格納された該複数のジョブの実行順序を決定することができる。